【手続補正書】
【提出日】平成18年6月13日(2006.6.13)
【手続補正１】
【補正対象書類名】明細書
【補正対象項目名】特許請求の範囲
【補正方法】変更
【補正の内容】
【特許請求の範囲】
【請求項１】
軽質流動イソパラフィン１０〜６０重量％を含有することを特徴とする、クレンジング化粧料。
【請求項２】
アイメークアップ化粧料の除去用であることを特徴とする、請求項１に記載のクレンジング化粧料。
【請求項３】
２層ローション剤形であることを特徴とする、請求項１又は２に記載のクレンジング化粧料。
【請求項４】
非イオン界面活性剤を含有しないことを特徴とする、請求項１〜３の何れか一項に記載のクレンジング化粧料。
【手続補正２】
【補正対象書類名】明細書
【補正対象項目名】０００１
【補正方法】変更
【補正の内容】
【０００１】
【技術分野】
本発明は、クレンジング化粧料に関し、アイメークアップ化粧料の除去用に好適なクレンジング化粧料に関する。
【手続補正３】
【補正対象書類名】明細書
【補正対象項目名】０００２
【補正方法】変更
【補正の内容】
【０００２】
クレンジング化粧料は、メークアップ化粧料を除去するのに使用される化粧料であり、これは、通常メークアップ化粧料が、その装いに変化がないように擦過或いは汗等の物理的な応力によって化粧料が脱落し、その演出効果を損なわないように設計されているため、それを除去する際には、通常の手段では落とせない成分も落とせる専用の化粧料が必要になるのである。この為、クレンジング用の化粧料には、溶剤としての特性が強い成分、
例えば炭素数９〜１３程度の軽質イソパラフィンなどの揮発性成分が含有されることが多い。この様な揮発性成分に於いては皮膚及び粘膜、取り分け眼粘膜に対する刺激が強く現れる場合が多く、その使用方法に厳密なコントロールが必要であった。この為、折角含有させた軽質イソパラフィンの溶剤特性を生かせない場合が少なくなかった。この様な、軽質イソパラフィンの刺激発現の傾向は、目の周囲のメークアップ化粧料を除去する場合に少なくなかった。
【手続補正４】
【補正対象書類名】明細書
【補正対象項目名】０００３
【補正方法】変更
【補正の内容】
【０００３】
この様な軽質イソパラフィンを他の揮発性溶剤に置き換える試みもなされ、この様な揮発性溶剤として、環状シリコーンや低粘度シリコーンなどが使用されたが、クレンジング効果は軽質イソパラフィンに及ぶものではなく、水性洗顔などとの併用が必要になる場合が少なくなかった。
【手続補正５】
【補正対象書類名】明細書
【補正対象項目名】０００４
【補正方法】変更
【補正の内容】
【０００４】
一方、軽質流動イソパラフィンは、通常その炭素数は１６〜２４と軽質イソパラフィンに比せば大きく、リップカラーなどのオイルゲル製品の油性成分として使用されているが、このものが安全性が高く、クレンジングのための溶剤効果も優れていることは全く知られていなかった。更に、このものをクレンジングに含有させる試みも全く為されていなかった。
【手続補正６】
【補正対象書類名】明細書
【補正対象項目名】０００５
【補正方法】変更
【補正の内容】
【０００５】
【発明が解決しようとする課題】
本発明は、この様な状況下為されたものであり、安全性及びクレンジング効果に優れ、特にはアイメークアップ化粧料の除去用として好適なクレンジング化粧料を提供することを課題とする。
【手続補正７】
【補正対象書類名】明細書
【補正対象項目名】０００６
【補正方法】変更
【補正の内容】
【０００６】
【課題を解決するための手段】
本発明者らは、この様な状況に鑑みて、安全性及びクレンジング効果に優れるクレンジング化粧料を求めて鋭意研究努力を重ねた結果、軽質流動イソパラフィンを含有することを特徴とする、クレンジング化粧料にその様な特性を見出し、発明を完成させた。即ち、本発明は以下に示す技術に関するものである。
（１）軽質流動イソパラフィン１０〜６０重量％を含有することを特徴とする、クレンジング化粧料。
（２）アイメークアップ化粧料の除去用であることを特徴とする、（１）に記載のクレンジング化粧料。
（３）２層ローション剤形であることを特徴とする、（１）又は（２）に記載のクレンジング化粧料。
（４）非イオン界面活性剤を含有しないことを特徴とする、（１）〜（３）の何れか一に記載のクレンジング化粧料。以下、本発明について、実施の形態を中心に更に詳細に説明を加える。
【手続補正８】
【補正対象書類名】明細書
【補正対象項目名】０００７
【補正方法】変更
【補正の内容】
【０００７】
（１）本発明のクレンジング化粧料の必須成分である軽質流動イソパラフィン
本発明のクレンジング化粧料は、軽質流動イソパラフィンを含有することを特徴とする。本発明で言う、軽質流動イソパラフィンとは、脂肪族炭化水素のみを構成成分とする組成物であって、２０℃、１気圧で揮発せず、粘度の低いものを言い、具体的な構成としては、分岐鎖を有する炭素数１２〜３０、更に好ましくは炭素数１６〜２４の脂肪族炭化水素であって、この様な成分は、原油中より、蒸留などによって取り出すことも可能であるが、例えば、イソブテンなどの分岐脂肪族炭化水素とノルマルブテンなどの直鎖脂肪族炭化水素とを共重合することによっても得られる。又、この様な共重合体は必要に応じて重合後に水素を添加することもできる。これらの内で特に好ましいものは、イソブテンとノルマルブテンの共重合体及び／又はその水添物である。これは、この様な共重合体類の方が、構成成分のぶれが少ないからである。この様な、イソブテンとブテンの共重合体としては、日本油脂株式会社より販売されている「パールリーム４」があり、イソブテンとブテンの共重合体の水添物としては、日本油脂株式会社より販売されている「パールリームＥＸ」や出光石油株式会社より販売されている「ＩＰソルベント２０２８」等があり、これらは何れも好ましく使用できる。本発明のクレンジング化粧料に於いて、かかる軽質流動イソパラフィンは、眼粘膜などの、化学的刺激に敏感な部位に於いても、刺激を発現せずに、メークアップ化粧料などを構成している、粉体油脂混合体を溶解・分散除去する作用に優れる。更に使用感としても、揮発性のない油脂成分であるにもかかわらず、べたべたとした油ぽっさが無くさっぱりとした好ましい特性を有する。本発明のクレンジング化粧料に於いて、この様な軽質流動イソパラフィンは、唯一種をクレンジング化粧料に含有させることもできるし、２種以上を組み合わせて含有させることもできる。本発明のクレンジング化粧料に於ける、かかる軽質流動イソパラフィンの含有量は、総量でクレンジング化粧料全量に対して、１０〜６０重量％であり、好ましくは２０〜５０重量％であり、更に好ましくは２５〜４０重量％である。これは多すぎても溶剤効果は頭打ちになり、徒に処方の自由度を損なう場合があり、少なすぎると溶剤効果が得られない場合があるからである。
【手続補正９】
【補正対象書類名】明細書
【補正対象項目名】０００８
【補正方法】変更
【補正の内容】
【０００８】
（２）本発明のクレンジング化粧料
本発明のクレンジング化粧料は、上記必須成分である、軽質流動イソパラフィンを含有することを特徴とする。本発明で言うクレンジング化粧料とは、油汚れや、メークアップ化粧料などの油性成分、粉体類、油性成分と粉体類が混合したものなどの、全体として油性の性質を有するものであって、水性洗顔のみでは除去しがたいものを除去する目的で使
用される化粧料を意味する。その剤形としては、通常クレンジング化粧料で使用されているものであれば特段の限定無く使用することができ、例えば、１層乃至は２層のローション剤形、水中油乳化剤形、油中水乳化剤形、多重エマルション剤形、油性ゲル剤形、非水乳化剤形などの何れもが好ましく例示できる。これらの内、特に好ましいものは２層ローション剤形である。これは、本発明のクレンジング化粧料の必須成分である、軽質流動イソパラフィンの「目の周囲の部位に優しい」特性を生かせるためである。この剤形に於いては、実質的に界面活性剤を必要としないことから、目に対して刺激発現の可能性のある、非イオン界面活性剤を含有しないことは更に好ましい形態である。加えて、そのクレンジング化粧料の種類としては、上記の特質に鑑みて、アイカラー、アイライナー、マスカラ等の目の周囲の部位に使用されるアイメークアップ化粧料を除去することに用いることが、本発明のクレンジング化粧料の特性を更に生かせるので特に好ましい。更に、優れた油性成分除去性から、通常のクレンジング化粧料では落としにくいサマー用のメークアップ化粧料などの除去用に使用することも有利である。
【手続補正１０】
【補正対象書類名】明細書
【補正対象項目名】０００９
【補正方法】変更
【補正の内容】
【０００９】
本発明のクレンジング化粧料に於いては、上記必須成分である軽質流動イソパラフィン以外に通常化粧料、特にクレンジング化粧料で使用される任意の成分を含有することができる。この様な任意の成分としては、例えば、スクワラン、ワセリン、マイクロクリスタリンワックス等の炭化水素類、ジメチルポリシロキサン、メチルフェニルポリシロキサン、環状ジメチルポリシロキサンなどのシリコーン類、ホホバ油、カルナウバワックス，オレイン酸オクチルドデシル等のエステル類、オリーブ油、牛脂、椰子油等のトリグリセライド類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール、イソプレングリコール、１，２−ペンタンジオール等の多価アルコール類、エタノール、増粘・ゲル化剤、酸化防止剤、紫外線吸収剤、色剤、防腐剤、粉体等を好ましく例示できる。これらの内、前述のごとく、界面活性剤、取り分け非イオン界面活性剤を含有しないことが好ましい。又、エタノールは５重量％以下に抑えることが同様の観点から好ましい。本発明のクレンジング化粧料は、これら必須の成分と任意の成分とを常法に従って処理することにより製造することができる。
【手続補正１１】
【補正対象書類名】明細書
【補正対象項目名】００１１
【補正方法】変更
【補正の内容】
【００１１】
＜実施例１〜３＞
下記に示す、処方に従って、本発明のクレンジング化粧料を作製した。即ち、イ、ロの成分をそれぞれ７５℃に加熱し、ロに徐々にイを加え乳化し、ホモジナイザーで粒子を均一化した後、攪拌冷却し、クレンジングクリームを得た。比較例１として油性成分を流動パラフィンに代えたものを、比較例２として油性成分を軽質イソパラフィン（炭素数９〜１２；揮発性油剤）に置換したものも作製した。これらについて、下記に示す、サマー用
のアイカラーの除去試験で評価を行った。即ち、上腕内側部に２ｃｍ×３ｃｍの部位を作製し、アイカラーを塗布し、検体０．３ｇをつけて擦過し脱脂綿でふき取り、化粧料の残り具合を次の基準で評価した。即ち、＋＋：クレンジング料のみで残存無く除去、＋：よく見ると残存があるものの、水性洗浄料で洗浄したあとは残存無し、±：残存があり、水性洗浄料で洗浄後も僅かに残存、−：水性洗浄料を併用しても落としきらないの基準である。又、ハートレー系白色種モルモットを用いて、眼粘膜への影響を調べた。即ち、検体を含浸させた綿棒を用いて眼瞼を３回擦過し、その１０分後に、水を含浸した綿棒で擦過した場合に比して、＋＋：明らかに赤い、＋：やや赤い、±：気持ち赤い、−：変わらないの基準で評価した。これらの結果を表１に示す。これより、本発明のクレンジング化粧料は、優れたクレンジング料としての機能を有すると同時に、眼瞼等の化学物質に敏感な部位にも極めて安全に使用できることがわかる。
（アイカラーの処方）
着色チタンマイカ                       ３０    重量部
虹彩箔                                 ２０    重量部
セリサイト                             ２０    重量部
マイカ                                 １０    重量部
エポキシレジンパルミテートステアレート   ３    重量部
高粘度ジメチコン                         ２    重量部
マイクロクリスタリンワックス             ５    重量部
オレイン酸オクチルドデシル             １０    重量部
（クレンジング用化粧料の処方）
イ
油性成分＊                             ５０    重量部
ジグリセリンテトラオレート             １０    重量部
ソルビタンセスキステアレート             ３    重量部
ポリオキシエチレンベヘニルエーテル       ２    重量部
ブチルパラベン                           ０．１重量部
ロ
１，２−ペンタンジオール                 ３    重量部
イソプレングリコール                     ３    重量部
水                                     ２８．９重量部
＊詳細は表１に示す。
【手続補正１２】
【補正対象書類名】明細書
【補正対象項目名】００１３
【補正方法】変更
【補正の内容】
【００１３】
＜実施例４〜５＞
以下に示す処方に従って、２層ローションタイプの本発明のクレンジング化粧料を作製した。即ち、処方成分を攪拌し、上層乃至は下層に成分が全て溶解するように処理した。機械力で攪拌しながら、組成物を瓶に分注しクレンジング化粧料を得た。実施例１〜３と同様に評価を行った。結果を表２に示す。これより、本発明のクレンジング化粧料は優れたクレンジング力を有するとともに、眼瞼等の敏感な部分に対しても優しいことがわかる。
油性成分＊＊                       ３０    重量部
低粘度ジメチコン                   ２０    重量部
塩化ベンザルコニウム（１％水溶液）   ０．５重量部
エタノール                           ５    重量部
水                                 ４４．５重量部
＊＊詳細は表２に示す。
【手続補正１３】
【補正対象書類名】明細書
【補正対象項目名】００１５
【補正方法】変更
【補正の内容】
【００１５】
＜実施例７〜９＞
以下に示す処方に従って、２層ローションタイプの本発明のクレンジング化粧料を作製した。即ち、処方成分を攪拌し、上層乃至は下層に成分が全て溶解するように処理した。機械力で攪拌しながら、組成物を瓶に分注しクレンジング化粧料を得た。実施例１〜３と同様にクレンジング作用の評価を行った。結果を表３に示す。これより、本発明のクレンジング化粧料は優れたクレンジング力を有するとともに、眼瞼等の敏感な部分に対しても優しいことがわかる。
油性成分＊＊＊                     ５０    重量部
塩化ベンザルコニウム（１％水溶液）   ０．５重量部
エタノール                           ５    重量部
水                                 ４４．５重量部
＊＊＊詳細は表３に記す。
【手続補正１４】
【補正対象書類名】明細書
【補正対象項目名】００１７
【補正方法】変更
【補正の内容】
【００１７】
【発明の効果】
本発明によれば、安全性及びクレンジング効果に優れるクレンジング化粧料を提供することができる。